(57)【要約】【課題】  従来の筒状の腹布を着衣本体に着脱可能に取付ける構成を採用して、製作を容易化できる下半身着衣を得ること。【解決手段】  上部にウエストバンド２１を備える着衣本体２から上方に、伸縮可能な筒状の腹布３を設けた下半身着衣１において、オープンストレッチファスナー１０の一方ファスナー１１を前記着衣本体２のウエストバンド２１内側に、また、オープンストレッチファスナー１０の他方ファスナー１２を前記腹布３の外周下部に、それぞれ取付け、前記腹布３を、前記オープンストレッチファスナー１０を介して前記着衣本体２に着脱可能に取付けた下半身着衣である。【選択図】  図１
0003176115.tif 000002
【実用新案登録請求の範囲】
【請求項１】
上部にウエストバンドを備える着衣本体から上方に、伸縮可能な筒状の腹布を設けた下半身着衣において、
オープンストレッチファスナーの一方ファスナーを前記着衣本体のウエストバンド内側に、また、前記オープンストレッチファスナーの他方ファスナーを前記腹布の外周下部に、それぞれ取付け、前記腹布を、前記オープンストレッチファスナーを介して前記着衣本体に着脱可能に取付けたことを特徴とする下半身着衣。
【請求項２】
上部にウエストバンドを備える着衣本体から上方に、伸縮可能な筒状の腹布を設けたマタニティ用下半身着衣において、
前記着衣本体のウエストバンド内側の略全周に亘って帯状片を設けるとともに、この帯状片に、前記腹布を、オープンストレッチファスナーを介して着脱可能に取付けて構成され、
前記帯状片は、上方に折り返し可能に設けられ、
前記オープンストレッチファスナーは、一方ファスナーが前記腹布の表面側に縫合されるとともに、他方ファスナーは、その係合歯部を下方に向けて前記帯状片の裏面側に縫合され、
前記帯状片の裏面側に縫合された前記他方ファスナーの前記係合歯部は、当該帯状片の下端縁よりも上側に位置して設けられていることを特徴とする下半身着衣。
【請求項３】
前記帯状片は、当該ウエストバンドの内側縫合部となる箇所を、更に下方に延長して設けた部位であることを特徴とする請求項２記載の下半身着衣。
【考案の詳細な説明】
【技術分野】
【０００１】
本考案は下半身着衣に関し、男女用パンツ、ズボン、女性用スカート等、とりわけ産前産後の体型に適合可能な女性用下半身着衣に関する。
【背景技術】
【０００２】
この種の女性用下半身着衣において、着衣の胴回り箇所に伸縮性の素材で妊婦のお腹を包むマタニティパンツ等が知られている（特許文献１）。
【０００３】
上記文献１のマタニティパンツは、パンツ本体の上部に、その内側全周に亘って略筒形の伸縮性リブニット部と称される腹布を縫い付け、パンツ本体の上部側方位置には、アジャスターを設けて、ウエストサイズ調節可能に構成したものである。
【０００４】
これにより、パンツ本体のアジャスターと腹布とで妊婦の体型変化に応じたフィット性を確保し、マタニティパンツでありながらもスタイリッシュな着こなしが可能であり、パンツ本体上端との間に溝部が形成され、この溝部にシャツやＴシャツなどのトップスの下端を折り込むことも可能であり、更に、パンツ本体の上端をベルト通しを設けたベルトウエスト部とすることにより、通常の（マタニティ用ではない）パンツをはいているように見せかける効果がより大きくなる、といった作用効果を奏するとされている。
【０００５】
尚、パンツ本体の上部側方位置にアジャスターが設けられてウエストサイズ調節可能とされている技術は、例えば特許文献２に見るように、昭和の時代より知られている周知技術である。
【先行技術文献】
【特許文献】
【０００６】
【特許文献１】実用新案登録第３１２５９４３号公報
【特許文献２】実開昭５６−７７１０号公報
【考案の概要】
【考案が解決しようとする課題】
【０００７】
前記特許文献１によると、前記伸縮性リブニット部と称される腹布は、略筒形の下端がパンツ本体の上端から所定寸法だけ低い位置で内側全周に亘って縫い付けられるので、その縫合作業が些か困難であって作業者に熟練を要するものである。
【０００８】
更に、前記腹布は、パンツ本体に縫い付けられるので、とりわけ産後において不要となっても、適宜の取外しをすることができない不都合がある。この点、特許文献１では、妊娠初期において腹布をパンツ本体の内側に折り込んで使用することを慫慂しているが、夏場等の暑い日に、産後の女性やレディースが使用するには不向きである。
【０００９】
また、前記文献１では、パンツ本体の上部側方位置にアジャスターが設けられてウエストサイズ調節可能とされているにも拘らず、腹布がパンツ本体に縫い付けられるので、縫い付け部位（縫合箇所）は縫合糸によって伸縮性が減殺される不都合もある。
【００１０】
そこで、本考案は、前記腹布を、前記文献１とは異なり、着衣本体に着脱可能に取付ける構成を採用して、その構造に工夫を凝らしたものであり、しかも、前記文献１の不都合を解消することができる下半身着衣を提案するものである。
【課題を解決するための手段】
【００１１】
本願第１請求項に記載した考案は、実施例で用いた符号を付して記すと、上部にウエストバンド２１を備える着衣本体２から上方に、伸縮可能な筒状の腹布３を設けた下半身着衣１において、オープンストレッチファスナー１０の一方ファスナー１１を前記着衣本体２のウエストバンド２１内側に、また、オープンストレッチファスナー１０の他方ファスナー１２を前記腹布３の外周下部に、それぞれ取付け、前記腹布３を、前記オープンストレッチファスナー１０を介して前記着衣本体２に着脱可能に取付けたことを特徴とする下半身着衣である。
【００１２】
本願第２請求項に記載した考案は、上部にウエストバンド２１を備える着衣本体２から上方に、伸縮可能な筒状の腹布３を設けた下半身着衣１において、前記着衣本体２のウエストバンド２１内側の略全周に亘って帯状片２１ａを設けるとともに、この帯状片２１ａに、前記腹布３を、オープンストレッチファスナー１０を介して着脱可能に取付けて構成され、前記帯状片２１ａは、上方に折り返し可能に設けられ、前記オープンストレッチファスナー１０は、一方ファスナー１１が前記腹布３の表面側に縫合されるとともに、他方ファスナー１２は、その係合歯部１２ａを下方に向けて前記帯状片２１ａの裏面側に縫合され、前記帯状片２１ａの裏面側に縫合された前記他方ファスナー１２の前記係合歯部１２ａは、当該帯状片２１ａの下端縁よりも上側に位置して設けられていることを特徴とする下半身着衣である。
【００１３】
本願第３請求項に記載した考案は、前記請求項２において、前記帯状片２１ａは、当該ウエストバンド２１の内側縫合部となる箇所を、更に下方に延長して設けた部位であることを特徴とする下半身着衣である。
【考案の効果】
【００１４】
本考案に係る下半身着衣は、腹布３が、オープンストレッチファスナー１０を介して着脱可能に取付けられるので、腹布３を取付ければマタニティパンツや腹巻付きパンツ等となり、腹布３を取外せば、産後の女性やレディースは通常のパンツ等の下半身着衣として使用することができ、これにより汎用性が増して便宜となる。
【００１５】
更に、本考案の着衣は、腹布３が、オープンストレッチファスナー１０を介して取付けられるので、前記文献１の場合、縫合糸により腹布の伸縮性が減殺されるのとは異なり、ファスナー自体に伸縮性が備えられ、しかも、取付け箇所の全周において少なくともファスナーの歯合箇所の存しない部位を有するので、これらの部位において腹布３の伸縮性が発揮され得て、伸縮性あるフィット感が損なわれることがない。
【００１６】
また、本考案の着衣は、帯状片２１ａは上方に折り返し可能に設けられ、且つ、オープンストレッチファスナー１０の一方ファスナー１１が腹布３の表面側に縫合されるとともに、他方ファスナー１２は、その係合歯部１２ａを下方に向けて帯状片２１ａの裏面側に縫合され、そして、帯状片２１ａの裏面側に縫合された他方ファスナー１２の係合歯部１２ａが、帯状片２１ａの下端縁よりも上側に位置して設けられているので、腹布３を取外した際には、他方ファスナー１２の係合歯部１２ａが、帯状片２１ａによって隠蔽され得ることとなり、従って、係合歯部１２ａが着用者の肌側に当たらないから、係合歯部１２ａが存在しても着用感が損なわれない。
【００１７】
また、本考案の着衣において、ウエストバンド２１の内側縫合部６ａとなる箇所を、更に下方に延長して設けた部位を前記帯状片２１ａとして構成すると、帯状片２１ａをウエストバンド２１の一部として当該ウエストバンド２１に一体に形成でき、帯状片２１ａを別部材にて設けることを要しないので、製作の簡易化・容易化がもたらされる。
【００１８】
更にまた、着衣の製作においても、オープンストレッチファスナー１０の一方ファスナー１１を腹布３に縫合し、他方ファスナー１２を帯状片２１ａに縫合するという別々の作業によるので、文献１のように腹布をパンツ本体の内側全周に亘って縫い付けて一度に取付ける場合の困難性を、解消することができる。
【００１９】
このように、本考案の下半身着衣によれば、レディス用としては勿論、妊娠初期から臨月、そして産後も着用できるマタニティパンツ或いはマタニティスカート、更には通常の男女用パンツや子供用パンツとして用いることができ、また、その製作も容易化され得るものである。
【図面の簡単な説明】
【００２０】
【図１】本考案の実施例に係り、マタニティ用の下半身着衣を示す正面外観図である。
【図２】本考案の実施例に係り、腹布を示す平面図である。
【図３】本考案の実施例に係り、ウエストバンドの箇所における着衣本体を示す斜視図である。
【図４】本考案の実施例に係り、ウエストバンド内側に設けた帯状片を示す斜視図である。
【考案を実施するための最良の形態】
【００２１】
以下に、本考案の実施例を図面に基づいて詳細に説明する。本例の下半身着衣１は、これをパンツ（ズボン）に実施したもので、上部にウエストバンド２１を備える着衣本体２から上方に、伸縮可能な筒状の腹布３を設けて構成される。即ち、この下半身着衣１において、前記着衣本体２のウエストバンド２１内側の略全周に亘って帯状片２１ａを設けるとともに、この帯状片２１ａに、前記腹布３を、オープンストレッチファスナー１０を介して着脱可能に取付けて構成されている。尚、本明細書では、下半身着衣１の筒状を呈する際の着衣本体２、腹布３、ウエストバンド２１、帯状片２１ａ等において、外周方向を外側（とりわけ正面方向を正面側）或いは表面側、内周方向を内側或いは裏面側と称している。
【００２２】
前記帯状片２１ａは、上方に折り返し可能に設けられる（図３及び図４参照）。また、前記オープンストレッチファスナー１０は、一方ファスナー１１が前記腹布３の表面側に縫合されるとともに、他方ファスナー１２は、その係合歯部１２ａを下方に向けて前記帯状片２１ａの裏面側に縫合される。尚、符号１３はスライダーである。
【００２３】
前記帯状片２１ａの裏面側に縫合された前記他方ファスナー１２の前記係合歯部１２ａは、当該帯状片２１ａの下端縁よりも上側に位置して設けられている（図４の二点鎖線のもの参照）。
【００２４】
尚、この例では、帯状片２１ａは、ウエストバンド２１の内側縫合部６ａとなる箇所を、更に下方に延長して設けた部位である。即ち、ウエストバンド２１は、細長い帯状の布材を長手方向に沿って長い筒状に形成し、正面側及び裏面側の双方の帯状片２１ａ，２１ｂで平ゴム５を挿通する挿通部を構成し、そして、双方の帯状片２１ａ，２１ｂと着衣本体２との縫い合わせ部（縫合部６ａ，６ｂ）よりも前記裏面側（内側）の帯状片２１ａを下方に延長して設けている。尚、符号２１ｂの帯状片は正面側のものであり、また、６ｂは外側縫合部である。
【００２５】
更に、その延長した帯状片２１ａの部位の正面側（着衣本体２の側）に、オープンストレッチファスナー１０の他方ファスナー１２を取付けている（図４の二点鎖線参照）。即ち、他方ファスナー１２は、その係合歯部１２ａを下方に向けて前記帯状片２１ａの正面側に縫合されている。尚、６ｃはその縫合部である。
【００２６】
そして、帯状片２１ａとこれに縫合される他方ファスナー１２は、腹布３を取付ける場合、即ち前記一方ファスナー１１を歯合させる場合は、図３及び、図４に実線にて示すように、帯状片２１ａを上方に折り返して、その係合歯部１２ａが上方に向いた状態で歯合する。また、腹布３を取外している場合は、図４の二点鎖線にて示すように、帯状片２１ａと他方ファスナー１２は下方に垂下するとともに、係合歯部１２ａは帯状片２１ａの正面側にて下方に位置することとなる。
【００２７】
上記の腹布３を取外している場合（図４の二点鎖線にて示す場合）は、上述したように、他方ファスナー１２は下方に垂下するとともに、その係合歯部１２ａは帯状片２１ａの正面側にて下方に位置するが、他方ファスナー１２の係合歯部１２ａが、帯状片２１ａによって隠蔽される。従って、係合歯部１２ａが着用者の肌側に当たらないから、着用感が損なわれることがない。
【００２８】
尚、符号４はベルトループである。また、この例では、ウエストバンド２１の内部には、複数のボタンホール５ａ，５ａを設けた平ゴム５を挿通して、この平ゴム５によりウエスト調整が可能となるように設けられている。
【００２９】
上記の実施例では、本考案をマタニティパンツに適用した例を示したが、マタニティパンツに限らず、通常の成人用のパンツ、腹部を保護する子供用のパンツ、スカートその他、適宜の下半身着衣に適用することができるものである。更に、本考案は上述した具体例のものに限定されないことは明らかであり、本考案の趣旨に適合する範囲内で適宜改変することができるものである。
【産業上の利用可能性】
【００３０】
本考案の下半身着衣は、腹布を着衣本体に着脱可能に取付ける構成を採用して、レディス用や子供用のもの、妊娠初期から臨月、そして産後も着用できるマタニティパンツ或いはマタニティスカート等として好適に利用することができる。
【符号の説明】
【００３１】
１    下半身着衣
２    着衣本体
２１    ウエストバンド
２１ａ    帯状片
２１ｂ    帯状片
３    腹布
４    ベルトループ
５    平ゴム
５ａ    ボタンホール
６ａ，６ｂ，６ｃ    縫合部
１０    オープンストレッチファスナー
１１    一方ファスナー
１１ａ    係合歯部
１２    他方ファスナー
１２ａ    係合歯部
１３    スライダー
【図１】
0003176115.tif 000003
【図２】
0003176115.tif 000004
【図３】
0003176115.tif 000005
【図４】
0003176115.tif 000006